(57)【要約】【課題】容器内の薬剤残量を容易に確認でき、含浸材が洗浄可能で、蓋を密閉して繰り返し使用ができる収納塗布容器を提供すること。【解決手段】  筒の先端に櫛歯とともに着脱自在に備えた含浸材に液剤を吐出し、頭髪に含浸材から液剤を塗り付ける塗布容器において、筒側面に設けた窓部に沿って筒内周面に凹部を形成し、収納容器の側壁面に設けた内部の液剤を示す透過部上に該収納容器を筒内に挿入する際凹部に噛み合わせられる凸部を設けて塗布容器を構成した。また、キャップの内周面を筒の外周面に密着させることとした。  これにより、筒の窓部と収納容器の透過部とを容易に組み付けられ、またずれることがなく、筒内に挿入した収納容器の液剤の残量が確認できる。筒の先端より含浸材と櫛とを取り外し、洗浄もしくは交換が容易にできる。キャップを閉めて密閉し、含浸材の乾燥や液剤の蒸発を防止できる。【選択図】図１
2006006754.tif 000002
【特許請求の範囲】
【請求項１】
円筒状の筒の先端に櫛歯とともに含浸材を備え、該筒の底部より挿入した収納容器から前記含浸材に液剤を吐出し、前記櫛歯で梳いた頭髪に前記含浸材から液剤が塗り付けられる塗布容器において、
一部に透明部分を備えた被覆体を前記筒の外周に取り付け、該透明部分により前記筒側面に窓部を設けるとともに前記筒内周面に該窓部に沿った凹部を形成し、
前記収納容器の側壁面に内部の液剤を示す透過部を上下方向に設け、かつ該収納容器を筒内に挿入する際前記凹部に噛み合わせられる凸部を前記透過部に沿って設けたことを特徴とする塗布容器。
【請求項２】
下部で開閉自在に連結された２枚の櫛歯の間に含浸材を挟み、該含浸材とともに前記櫛歯を筒に着脱自在に取り付けたことを特徴とする請求項１に記載の塗布容器。
【請求項３】
筒の先端に含浸材を覆って着脱自在にネジ止めされるキャップの内周面を、前記筒の外周面に気密に当接させたことを特徴とする請求項１または２に記載の塗布容器。
【発明の詳細な説明】
【技術分野】
【０００１】
本発明は、頭髪用染料、整髪剤、毛髪脱色剤などの液材を収納し、先端の含浸材に染み込ませた液剤を頭髪に塗布する塗布容器に関する。
【背景技術】
【０００２】
頭髪用染料、整髪剤、毛髪脱色剤などの液剤を収納し、櫛歯の近くに液剤を吐出させ、あるいは櫛歯近傍に設けられた含浸材に液剤を染み込ませ、櫛歯で頭髪を梳いて液剤を塗布する塗布容器が知られている。かかる塗布容器は、エアゾール式の加圧容器を有するもの、液剤が二液で内部で混合するもの、液剤を単に押し出し頭髪に塗りつけるものなど用途に応じてさまざまなタイプが用いられている。
【０００３】
また、液剤を一度で使い切るタイプの塗布容器と繰り返し使用するタイプの塗布容器がある。
【特許文献１】特開８−２９５６１８号公報
【発明の開示】
【発明が解決しようとする課題】
【０００４】
頭髪の一部に染毛剤を塗布し部分的に毛染めするための塗布容器は、小型で扱い易く、しかも外部から染料の残量を容易に確認できることが好ましい。また、含浸材を取り外して容易に洗浄や交換できること、更に繰り返し使用するため蓋を密閉し含浸材の乾燥を防止できることが要望されている。
【０００５】
本発明は、塗布液の残量が確認でき、かつ含浸材を取り外して容易に洗浄や交換ができ、しかも蓋を密閉して含浸材の乾燥を防止する塗布容器を提供することを目的とする。
【課題を解決するための手段】
【０００６】
本発明は上記課題を解決するため、塗布容器を次のように構成した。
【０００７】
円筒状の筒の先端に櫛歯とともに含浸材を備え、該筒の底部より挿入した収納容器から前記含浸材に液剤を吐出し、前記櫛歯で梳いた頭髪に前記含浸材から液剤が塗り付けられる塗布容器において、一部に透明部分を備えた被覆体を前記筒の外周に取り付け、該透明部分により前記筒側面に窓部を設けるとともに前記筒内周面に該窓部に沿った凹部を形成し、前記収納容器の側壁面に内部の液剤を示す透過部を上下方向に設け、かつ該収納容器を筒内に挿入する際に前記凹部に噛み合わせられる凸部を前記透過部に沿って設けて塗布容器を構成した。
【０００８】
下部で開閉自在に連結された２枚の櫛歯の間に含浸材を挟み、該含浸材とともに前記櫛歯を筒に着脱自在に取り付けて塗布容器を構成した。
【０００９】
筒の先端に含浸材を覆って着脱自在にネジ止めされたキャップの内周面を、前記筒の外周面に気密に当接させて塗布容器を構成した。
【発明の効果】
【００１０】
塗布容器は、収納容器から吐出された液剤が含浸材に染み込み、櫛歯で梳いた頭髪に含浸材から液剤が塗り付けられる。筒の窓部と収納容器の透明な透過部とを、筒の凹部と収納容器の凸部との組み合わせにより一致でき、組み立てが容易で、しかもずれることなく常に窓部を通して収納容器内の液剤が確認できる。
【００１１】
含浸材を櫛歯で挟んだ状態で筒から取り外し、含浸材や櫛歯の洗浄、交換などが容易にできる。
【００１２】
含浸材を覆うキャップの内周面を筒の外周面に密着させ、確実にキャップの密閉ができ、含浸材の乾燥や液剤の放散が防止できる。
【発明を実施するための最良の形態】
【００１３】
図１に本発明にかかる塗布容器２を示す。
【００１４】
塗布容器２は毛髪用染料を塗布する容器であり、先端に含浸材１２を備えた円筒状の筒４と、含浸材１２を覆うキャップ６と、筒４の底部より内部に組み入れられ含浸材１２に液剤としての染料を吐出する収納容器８等から構成されている。
【００１５】
筒４は樹脂製の透明な円筒体で、外壁面に外装材としての転写フィルム２５が巻回された胴部５の上部にキャップ６がネジ止めされるネジ部７を有している。
【００１６】
転写フィルム２５は可撓性を有する樹脂製フィルムで、少なくとも窓部３２に相当する箇所に印刷を行わず透明となっており、胴部５の周面に接着、あるいは溶着されている。尚転写フィルム２５は、窓部３２に相当する箇所を切り欠いてもよく、またインモールド成形、あるいはそれ以外の方法により胴部５の周面に取り付けられていてもよい。
【００１７】
キャップ６は内面にネジ部７に螺合する雌ネジを備え、ネジ部７にネジ止めされると内周面がネジ部７の上部外周面に気密に密着する。
【００１８】
図２に塗布容器２の断面を示す。筒４の胴部５とネジ部７との境界付近には仕切壁２０が筒４の内壁に設けられ、その内周縁には、開口面に支持梁２７を備えた上部筒体２１が設けられている。支持梁２７は上部筒体２１の中心で十字に交差してあり、交差部分には先端を収納容器８のバルブに対向させた軸体２６が設けられている。
【００１９】
また仕切壁２０の下面には、上部筒体２１より大径の下部筒体２４が同心円状に、筒４の内壁面から所定の間隙をもって設けられている。
【００２０】
ネジ部７の内側には、図５に示す円筒状の本体９が取り付けてある。本体９は、上面に傾斜した角形の開口１４を有し、内部にポリエステル繊維からなる含浸部材１８が取り付けられている。
【００２１】
図３に含浸材１２を示す。含浸材１２は、ポリエステル繊維からなるフェルト状部材で、含浸性を有し、上面１５が傾斜している。
【００２２】
図４に、櫛歯１３を左右両側に有する櫛１０を示す。櫛１０は、下方で脚部１１により連結され、内面に突起１７が形成された基板１６の上面に櫛歯１３を斜め上方に備え、更に脚部１１の角の一方が屈曲自在で、基板１６の内側に含浸材１２を挟んだ状態で図６に示すように本体９の開口１４に着脱自在に組み付けられる。櫛１０が本体９に組み付けられると、含浸材１２の下面が含浸部材１８に接する。
【００２３】
筒４の底部は、端縁に図１、及び図９に示すような切欠３０が曲線で形成されている開放端であり、また側壁面には、転写フィルム２５により底部から先端方向に向けて短冊状の透明な窓部３２が形成されている。更に窓部３２に沿った筒４の内周面には、図８に示すように凹部３４が形成されている。
【００２４】
図７に収納容器８を示す。収納容器８は、頭髪用染料などの液剤を収納する樹脂製のボトル３６にジョイント３８がネジ嵌合しており、筒４の底部より挿入して抜き取り不能に組み付けられる。
【００２５】
ボトル３６はブロー成形時に内部の染料が確認できる透過部３５を側壁に縦方向に備え、更に筒４の凹部３４に組み合う凸部３７が透過部３５上に突出形成されている。尚凸部３７を含めボトル３６の全体を内部の染料が確認できる樹脂材で成形してもよい。
【００２６】
ジョイント３８は図２に示すように、下部内面にネジ部を有しボトル３６に螺合する外筒体４０と、内部にバルブ２８を備えた内筒体４２と、バルブ２８の下部を支持するシリンダ４４とからなり、外筒体４０の下端外周に形成された突条４６が筒４の内壁に形成された突条４８を越え筒４内で移動可能、かつ抜き取り不能に組み付けられている。
【００２７】
シリンダ４４は下方に染料の通過する空間をあけて保持部４５を備え、内筒体４２の外周に一体に組み付けてある。
【００２８】
バルブ２８は半球状の栓体３１を備え、上端が軸体２６の下端に対向し、下方がシリンダ４４の保持部４５に軸方向に移動可能に保持され、保持部４５と栓体３１の間に取り付けられたスプリング２９に付勢されて栓体３１の上面が内筒体４２の内壁に形成された吐出口４３の内面に密着し、吐出口４３を閉鎖している。また栓体３１の周縁には突片が設けられ、突片間に形成された隙間によって栓体３１の周縁を越えて染料が内筒体４２内を通過可能となっている。
【００２９】
内筒体４２の上部外周には円環部材２３が筒４の下部筒体２４の内壁面に液密でかつ摺動自在に組み付けてあり、下部筒体２４の内壁面と収納容器８の内面とでピストンシリンダ機能の作用を生じさせている。
【００３０】
次に、塗布容器２を用いた部分染毛について説明する。
【００３１】
塗布容器２の先端を下に向けて収納容器８の底部を筒４内に数回押し込み、含浸材１２に染料を染み込ませる。すなわち収納容器８を筒４内に押し込むことによりバルブ２８が軸体２６により押され吐出口４３が開き、収納容器８から吐出した染料が含浸部材１８を介して含浸材１２に染み込む。櫛歯１３で髪を梳くと、含浸材１２に染み込んだ染料が頭髪に付着する。
【００３２】
含浸材１２の染料が減少したなら、塗布容器２の先端を下に向けて再度収納容器８を筒４内に押し込み、収納容器８から染料を吐出させ含浸材１２に補充する。
【００３３】
筒４の窓部３２には透過部３５が一致しているので、これらを通して染料の残量が確認できる。窓部３２に沿って凹部３４が形成され、透過部３５に突部３７が形成されているので、筒４の窓部３２に収納容器８の透過部３５を容易に一致でき、しかもそれらの位置がずれることがない。
【００３４】
また、櫛１０を含浸材１２とともに本体９から取り外して、必要に応じて櫛１０や含浸材１２を洗浄したり交換して、本体９に組み付けることができる。
【００３５】
染毛が終了したなら筒４にキャップ６を取り付ける。キャップ６は内面が筒４の先端に密に嵌合するので、含浸材１２の乾燥や染料の蒸発を確実に防止できる。
【図面の簡単な説明】
【００３６】
【図１】本発明の塗布容器を示す部分断面図である。
【図２】図１に示した塗布容器の断面図である。
【図３】含浸材を示す斜視図である。
【図４】櫛を示す斜視図である。
【図５】本体を示す斜視図である。
【図６】櫛を示す正面図である。
【図７】収納容器を示す斜視図である。
【図８】塗布容器を示す底面図である。
【図９】塗布容器を示す斜視図である。
【符号の説明】
【００３７】
２    塗布容器
４    筒
５    胴部
６    キャップ
７    ネジ部
８    収納容器
９    本体
１０  櫛
１１  脚部
１２  含浸材
１３  櫛歯
１４  開口
１５  上面
１６  基板
１７  突起
１８  含浸部材
２０  仕切壁
２１  上部筒体
２３  円環部材
２４  下部筒体
２５  転写フィルム
２６  軸体
２７  支持梁
２８  バルブ
３０  切欠き
３１  栓体
３２  窓部
３４  凹部
３５  透過部
３６  ボトル
３７  凸部
３８  ジョイント
４０  外筒体
４２  内筒体
４３  吐出口
４４  シリンダ
４５  保持部
４６  突条
４８  突条
【図１】
2006006754.tif 000003
【図２】
2006006754.tif 000004
【図３】
2006006754.tif 000005
【図４】
2006006754.tif 000006
【図５】
2006006754.tif 000007
【図６】
2006006754.tif 000008
【図７】
2006006754.tif 000009
【図８】
2006006754.tif 000010
【図９】
2006006754.tif 000011